(57)【特許請求の範囲】
【請求項１】
抽出器が着脱自在に装着されるサーバーを載置する載置台と該載置台の一端から上方に延設される支柱部と該支柱部の上部において前記載置台の上方に向かって庇状に突出して形成される給水部とを有する機器本体と、該給水部上に着脱自在に装着される水タンクとを備え、前記給水部には、前記水タンクの給水口が択一的に装着される複数の取水口と前記抽出器へ水を供給するための一つの吐出口とを平面視で重ならない位置に形成するとともに、前記機器本体には、前記複数の取水口から前記吐出口に至る複数の注出流路を設けたことを特徴とするコーヒーメーカー。
【請求項２】
前記水タンクの装着姿勢を水平姿勢を保持しながら変更することにより、前記給水口を前記複数の取水口のいずれかに択一的に装着できるようにしたことを特徴とする前記請求項１記載のコーヒーメーカー。
【請求項３】
前記複数の取水口には、前記水タンクの装着時に前記給水口に設けられた弁機構を開弁作動させる弁開閉機構をそれぞれ設けたことを特徴とする前記請求項１および２のいずれか一項記載のコーヒーメーカー。
【請求項４】
前記複数の注出流路のうち少なくとも一つには、該注出流路中を流れる水を加熱沸騰させる加熱機構を設ける一方、他の一つの注出流路には、流量を制御する流量制御機構を設けたことを特徴とする前記請求項１、２および３のいずれか一項記載のコーヒーメーカー。
【請求項５】
抽出器が着脱自在に装着されるサーバーを載置する載置台と該載置台の一端から上方に延設される支柱部と該支柱部の側方下部に位置する第１の給水部と前記支柱部の上部において前記載置台の上方に向かって庇状に突出して形成される第２の給水部とを有する機器本体と、前記第１および第２の給水部に対して択一的且つ着脱自在に装着される水タンクとを備え、前記第１および第２の給水部には、前記水タンクの給水口が装着される第１および第２の取水口をそれぞれ設けるとともに、前記第１および第２の取水口から前記抽出器へ水を供給するための吐出口に至る第１および第２の注出流路をそれぞれ付設し且つ前記第１の注出流路には、該注出流路中を流れる水を加熱沸騰させる加熱機構を設ける一方、前記第２の注出流路には、流量を制御する流量制御機構を設けたことを特徴とするコーヒーメーカー。
【発明の詳細な説明】
【０００１】
【発明の属する技術分野】
本願発明は、コーヒーメーカーに関し、さらに詳しくは、温水ドリップ式にも冷水ドリップ式にも使用可能なコーヒーメーカーに関するものである。
【０００２】
【従来の技術】
従来から良く知られているコーヒーメーカーとしては、機器本体の側方に設けられた水タンクの給水口と機器本体の上部に設けられた吐出口とを加熱機構を具備した注出流路を介して接続し、水タンクからの水が注出流路を流れる途中において前記加熱機構で加熱沸騰され、その時発生する水蒸気の圧力で注出流路内の熱水を押し上げて、前記吐出口の下方に位置せしめられたサーバーに被嵌された抽出器に収容されたコーヒー粉に吐出させることにより、コーヒー液を抽出し得るようにした温水ドリップ式のものと、水タンク内に収容された水を加熱することなく常温で抽出器内の収容されたコーヒー粉に自然流下により滴下させてコーヒー液の抽出を行う冷水ドリップ式のものとがある。
【０００３】
ところで、上記した方式のものでは、ユーザは２種類のコーヒーメーカーを購入しなければ、温水ドリップ式のコーヒーあるいは冷水ドリップ式のコーヒーを得ることができないという不具合がある。
【０００４】
そこで、機器本体と一体的に構成された水タンクを抽出器およびサーバーの上方に配置し且つ水タンクから抽出器への吐出口に至る通路を、切換ツマミの操作により適宜切り換え得るように構成することにより、温水ドリップ式のコーヒーあるいは冷水ドリップ式のコーヒーを抽出し得るように構成したものが提案されている（例えば、特許文献１参照）。
【０００５】
【特許文献１】
特開平２−１９３６１５号公報。
【０００６】
【発明が解決しようとする課題】
ところが、上記公知例の場合、水タンクから抽出器への吐出口に至る通路を、切換ツマミの操作により適宜切り換え得るように構成するようにしているため、通路切換構造が複雑となるとともに、水タンクが着脱できない構造となっているため、お手入れが難しいという不具合がある。また、上記公知例の場合、サーバー、抽出器、通路切換機構および水タンクが下から順に積み重なった構造となっているため、全体の上下方向寸法が大きくならざるを得ないという不具合も存する。
【０００７】
本願発明は、上記の点に鑑みてなされたもので、温水ドリップ式あるいは冷水ドリップ式のいずれにも対応できるとともに、構造が簡略で且つお手入れも簡単なコーヒーメーカーを提供することを目的としている。
【０００８】
【課題を解決するための手段】
本願発明では、上記課題を解決するための第１の手段として、抽出器が着脱自在に装着されるサーバーを載置する載置台と該載置台の一端から上方に延設される支柱部と該支柱部の上部において前記載置台の上方に向かって庇状に突出して形成される給水部とを有する機器本体と、該給水部上に着脱自在に装着される水タンクとを備えたコーヒーメーカーにおいて、前記給水部に、前記水タンクの給水口が択一的に装着される複数の取水口と前記抽出器へ水を供給するための一つの吐出口とを平面視で重ならない位置に形成するとともに、前記機器本体に、前記複数の取水口から前記吐出口に至る複数の注出流路を設けている。
【０００９】
上記のように構成したことにより、水タンクの給水口を複数の取水口のうちのいずれかに択一的に装着することにより、水タンクの水を複数の注出流路のうちのいずれかを介して吐出口へ導くことができることとなる。従って、注出流路のうちのいずれかに加熱機構を設ければ、該注出流路を選択した時には、吐出口より熱湯が抽出器へ注がれることとなり、温水ドリップ式のコーヒーを抽出できるし、注出流路のうちのいずれかに加熱機構を設けなければ、該注出流路を選択した時には、吐出口より水が抽出器へ注がれることとなり、冷水ドリップ式のコーヒーを抽出できることとなる。つまり、取水口への給水口の択一的装着によって、温水ドリップ式としても冷水ドリップ式としても使用することができるのである。また、取水口と吐出口とを、平面視で重ならない位置に形成するようにしているため、上下方向寸法をできるだけ低く抑えることが可能となる。
【００１０】
本願発明では、さらに、上記課題を解決するための第２の手段として、上記第１の手段を備えたコーヒーメーカーにおいて、前記水タンクの装着姿勢を水平姿勢を保持しながら変更することにより、前記給水口を前記複数の取水口のいずれかに択一的に装着できるようにすることもでき、そのように構成した場合、水タンクの装着姿勢を水平姿勢を保持しながら変更するだけで、給水口を複数の取水口のいずれかを選択して装着することができることとなり、操作性が向上する。
【００１１】
本願発明では、さらに、上記課題を解決するための第３の手段として、上記第１または第２の手段を備えたコーヒーメーカーにおいて、前記複数の取水口には、前記水タンクの装着時に前記給水口に設けられた弁機構を開弁作動させる弁開閉機構をそれぞれ設けることもでき、そのように構成した場合、水タンクの給水口をいずれの取水口に装着したときにも、給水口の弁機構を弁開閉機構により開弁作動させることができることとなり、水タンクの装着と弁機構の開弁作動とを同時に行うことができる。
【００１２】
本願発明では、さらに、上記課題を解決するための第４の手段として、上記第１、第２又は第３の手段を備えたコーヒーメーカーにおいて、前記複数の注出流路のうち少なくとも一つには、該注出流路中を流れる水を加熱沸騰させる加熱機構を設ける一方、他の一つの注出流路には、流量を制御する流量制御機構を設けることもでき、そのように構成した場合、注出流路のうちの少なくとも一つを流れる水は、加熱機構により加熱沸騰された状態で吐出口に導かれ、他の一つ注出流路を流れる水は、加熱されることなく吐出口に導かれることとなり、これらの注出流路を選択することにより、温水ドリップ式あるいは冷水ドリップ式の抽出が可能となる。
【００１３】
本願発明では、上記課題を解決するための第５の手段として、抽出器が着脱自在に装着されるサーバーを載置する載置台と該載置台の一端から上方に延設される支柱部と該支柱部の側方下部に位置する第１の給水部と前記支柱部の上部において前記載置台の上方に向かって庇状に突出して形成される第２の給水部とを有する機器本体と、前記第１および第２の給水部に対して択一的且つ着脱自在に装着される水タンクとを備えたコーヒーメーカーにおいて、前記第１および第２の給水部には、前記水タンクの給水口が装着される第１および第２の取水口をそれぞれ設けるとともに、前記第１および第２の取水口から前記抽出器へ水を供給するための吐出口に至る第１および第２の注出流路をそれぞれ付設し且つ前記第１の注出流路には、該注出流路中を流れる水を加熱沸騰させる加熱機構を設ける一方、前記第２の注出流路には、流量を制御する流量制御機構を設けている。
【００１４】
上記のように構成したことにより、支柱部の側方下部に位置する第１の給水部に水タンクを装着してその給水口を第１の取水口に装着すれば、水タンクの水を第１の注出流路を介して吐出口へ導くことができるし、支柱部の上部において載置台の上方に向かって庇状に突出して形成される第２の給水部に水タンクを装着してその給水口を第２の取水口に装着すれば、水タンクの水を第２の注出流路を介して吐出口へ導くことができることとなる。従って、第１の注出流路を介して吐出口に導かれる水は、加熱機構により加熱沸騰されて熱湯となって抽出器に注がれることとなり、温水ドリップ式の抽出が可能となるし、第２の注出流路を介して吐出口に導かれる水は、加熱されることなく流量制御機構により流量制御されて抽出器へ注がれることとなり、冷水ドリップ式の抽出が可能となる。つまり、第１の給水部あるいは第２の給水部への水タンクの選択装着によって、温水ドリップ式としても冷水ドリップ式としても使用することができるのである。
【００１５】
【発明の実施の形態】
以下、添付の図面を参照して、本願発明の幾つかの好適な実施の形態について説明する。
【００１６】
第１の実施の形態
図１ないし図６には、本願発明の第１の実施の形態にかかるコーヒーメーカーが示されている。
【００１７】
このコーヒーメーカーは、ロート状の抽出器４が着脱自在に装着されるサーバー３を載置する載置台５と該載置台５の一端から上方に延設される支柱部６と該支柱部６の上部において前記載置台５の上方に向かって庇状に突出して形成される給水部７とを有する機器本体１と、該給水部７上に着脱自在に装着される水タンク２とを備えて構成されている。
【００１８】
前記載置台５の上面に形成されるサーバー載置部には、熱良導体からなる載置板８が設けられており、該載置板８の内面には、加熱機構として作用する電気ヒータ９が接触状態で設けられている。つまり、電気ヒータ９に通電されている時には、載置板８が加熱されて保温板として作用することとなっているのである。この電気ヒータ９は、例えばコイル状の熱良導体９ａ内に発熱体であるシーズヒータ９ｂを埋設して構成されており、後述する第１の注出流路１７Ａの途中に形成された伝熱部１８と伝熱可能なように一体とされている。
【００１９】
前記サーバー３は、透明な耐熱ガラスによりコップ形状とされており、その側面には、把手１０が付設されている。このサーバー３の上端開口には、ロート状の抽出器４が着脱可能に載置されることとなっており、この抽出器４の蓋体４ａの中央部には、後述する吐出口１６から注がれる熱湯（あるいは水）を受け止めて抽出器４内に導く誘導口１１が形成されている。また、この抽出器４内には、その内周面に適合した形状に折り畳まれたフィルター１２が内装されることとなっており、該フィルター１２内には、コーヒー粉Ｃが収容される。符号１３は抽出器４の底部に形成される抽出口である。
【００２０】
前記給水部７の上面には、前記水タンク２を載置するための水平な載置面１４が形成されており、該載置面１４には、前記水タンク２の給水口２２が択一的に装着される二つの取水口（即ち、第１および第２の取水口１５Ａ，１５Ｂ）が形成されている。該第１および第２取水口１５Ａ，１５Ｂは、前記載置面１４より上方に突出する筒体により構成されており、後述する水タンク２の給水口２２が嵌挿されることとなっている。また、前記給水部７の下面中央部には、前記抽出器４へ水Ｗを供給するための一つの吐出口１６が前記抽出器４の誘導口１１と対応するように突出状態で設けられている。そして、前記第１の取水口１５Ａは、図３および図４に示すように、前記載置面１４において前記支柱部６よりの位置に形成される一方、前記第２の取水口１５Ｂは、前記載置面１４において前記第１の取水口１５Ａと１８０°の位相差をもった位置に形成されている。つまり、前記第１および第２の取水口１５Ａ，１５Ｂと前記吐出口１６との位置関係は、平面視で重ならないようになっているのである。このようにすると、上下方向寸法をできるだけ低く抑えることが可能となり、製品のコンパクト化に寄与する。符号１４ａは前記載置面１４の外周部位に一体に立設された環状の起立壁であり、該起立壁１４ａの存在により載置面１４上に載置された水タンク２の移動が防止できることとなっている。
【００２１】
前記機器本体１内には、前記第１および第２の取水口１５Ａ，１５Ｂから前記吐出口１６に至る二つの注出流路（即ち、第１および第２の注出流路１７Ａ，１７Ｂ）が設けられている。
【００２２】
前記第１の注出流路１７Ａは、前記第１の取水口１５Ａから支柱部６内を下方に延び、前記載置台５内において水平状態の伝熱部１８となり、再び支柱部６内を上向きに延設されて該支柱部６の上端に一体形成された位置決め用壁部２７（後述する）内に至り、ここで下向きに反転して前記吐出口１６に接続される一連の通路により構成されている。従って、この第１の注出流路１７Ａ内を流れる水は、伝熱部１８において電気ヒータ９により加熱沸騰され、その際発生する水蒸気の圧力によって上方に押し上げられて吐出口１６から熱湯として吐出されることとなるのである。
【００２３】
一方、前記第２の注出流路１７Ｂは、前記第１の取水口１５Ｂから直接前記吐出口１６に接続される通路により構成されており、その途中には、流量を制御する流量制御機構１９が介設されている。従って、この第２の注出流路１７Ｂを流れる水は、流量制御機構１９により流量制御された状態（即ち、冷水ドリップ式抽出に適した流量）に調節されて吐出口１６から水のままで吐出されることとなるのである。
【００２４】
前記水タンク２は、水Ｗを収容する水収容部２０と、該水収容部２０の上端開口を覆う蓋２１と、前記水収容部２０の出口となる給水口２２とを備えた略円形容器からなっている。符号２３は水タンク２の側面に設けられた把手である。
【００２５】
前記給水口２２は、前記水収容部２０の底面において前記把手２３よりの外周より位置に設けられた水出口２２ａと前記水収容部２０の下面から前記水出口２２ａを囲むように突出した円筒形状の筒体２２ｂとにより構成されており、該筒体２２ｂの内部には、水タンク２の非装着時において前記水出口２２ａを閉止状態とし、水タンク２の装着時において前記水出口２２ａを開放状態とする弁機構２４が設けられている。この弁機構２４は、前記給水口２２（換言すれば、水出口２２ａ）を開閉する弁体２４ａと該弁体２４ａを常態において閉弁方向に付勢するスプリング２４ｂとによって構成されており、水タンク２の装着時においては、前記第１および第２の取水口１５Ａ，１５Ｂ内に設けられた弁開閉機構として作用する突起２５の押し上げ力によりスプリング２４ａの付勢力に抗して開弁されることとなっている。
【００２６】
また、前記水収容部２０の下端外周には、前記水タンク２の装着時において前記給水部７上面の載置面１４に当接される環状壁２６が一体に突設されている。この環状壁２６の高さは、水タンク２が安定した状態で載置面１４上に載置できるように前記給水口２２の突出量よりやや高くされている。このようにすると、水タンク２の取り外し状態においても水タンク２を安定した起立姿勢に保持することができる。
【００２７】
一方、前記支柱部６の上端には、前記水タンク２の装着状態を保持するための一対の位置決め用壁部２７，２７が一体に形成されている。該位置決め用壁部２７，２７の間隔は、前記水タンク２の把手２３が挿入可能な大きさとされる（図３参照）。
【００２８】
ところで、前記水タンク２における給水口２２と把手２３との位置関係は、前記給水口２２を第１あるいは第２の取水口１５Ａあるいは１５Ｂに選択装着した状態において把手２３が機器本体１の両側面のいずれか一方側に向くように設定されている。
【００２９】
そこで、前記給水口２２を第１の取水口１５Ａに装着した時に水タンク２の側面において正面側となる位置には、図１に示すように、水量を表示する水量表示２８Ａと温水ドリップ式抽出を意味する「ドリップ」の文字表示２９Ａとが設けられる一方、前記給水口２２を第２の取水口１５Ｂに装着した時に水タンク２の側面において正面側となる位置には、図２に示すように、水量を表示する水量表示２８Ｂと冷水ドリップ式抽出を意味する「水出し」の文字表示２９Ｂとが設けられている。つまり、本実施の形態においては、水タンク２の装着姿勢を水平方向に変更するだけで、給水口２２を第１および第２の取水口１５Ａ，１５Ｂのいずれかを選択して装着することができることとなっており、操作性が向上する。しかも、その時、どちらの抽出方式を選択したかが文字表示２９Ａあるいは２９Ｂによりユーザが確認できることとなっているのである。
【００３０】
上記のように構成されたコーヒーメーカーにおいては、次のような作用効果が得られる。
【００３１】
温水ドリップ式によりコーヒーを抽出したい時には、まず、抽出器４内にフィルター１２をセットし、所定量のコーヒー粉Ｃをフィルター１２内に収容する。その状態のもとに、所定量の水Ｗを収容した水タンク２の給水口２２を第１の取水口１５Ａに装着し、電源を投入すると、水タンク２内の水Ｗは、給水口２２の第１の取水口１５Ａへの装着と同時に開弁された弁機構２４を介して第１の注出流路１７Ａに流れ込む。該第１の注出流路１７Ａに流れ込んだ水Ｗは、伝熱部１８を通過する過程で電気ヒータ９により加熱沸騰せしめられ、その時発生する水蒸気の圧力により押し上げられて吐出口１６から抽出器４の誘導口１１に吐出され、抽出器４内に導入される。抽出器４においては、導入された熱湯によりコーヒー液が抽出され、抽出されたコーヒー液は抽出口１３からサーバー３内に流下し、溜め込まれる。
【００３２】
一方、冷水ドリップ式により水出しコーヒーを抽出したい時には、まず、抽出器４内にフィルター１２をセットし、所定量のコーヒー粉Ｃをフィルター１２内に収容する。その状態のもとに、所定量の水Ｗを収容した水タンク２の給水口２２を第２の取水口１５Ｂに装着すると、水タンク２内の水Ｗは、給水口２２の第２の取水口１５Ａへの装着と同時に開弁された弁機構２４を介して第２の注出流路１７Ｂに流れ込む。該第２の注出流路１７Ｂに流れ込ンダ水Ｗは、流量制御機構１９により冷水ドリップに適した流量に制御されて自然流下により吐出口１６から抽出器４の誘導口１１に吐出され、抽出器４内に導入される。抽出器４においては、導入された水によりコーヒー液が抽出され、抽出されたコーヒー液は抽出口１３からサーバー３内に流下し、溜め込まれる。このときは、抽出完了までに相当な時間（通常、６時間程度）を要する。
【００３３】
上記したように、本実施の形態においては、第１および第２の取水口１５Ａ，１５Ｂへの給水口２２の択一的装着によって、温水ドリップ式としても冷水ドリップ式としても使用することができることとなっており、１台のコーヒーメーカーを、水タンク２の装着姿勢を変更するだけで、温水ドリップ式にも冷水ドリップ式にも使用できることとなり、極めて使い勝手のよいものとなる。
【００３４】
ところで、水タンク２の給水口２２を第１の取水口１５Ａに装着した時に、この状態を検知する検知手段（あるいは電源スイッチ）を付設し、該検知手段が水タンク２の当該装着姿勢を検知したときにのみ電気ヒータ９への通電を開始できるようにすることもできる。このようにすると、冷水ドリップ式を選択した時に誤って電気ヒータ９へ通電することがなくなる。
【００３５】
また、図７に示すように、水タンク２の底面に温水ドリップ式抽出のための給水口２２Ａと、冷水ドリップ式抽出のための口径の異なる複数の給水口２２Ｂ〜２２Ｆを形成し、温水ドリップ式抽出の場合には、給水口２２Ａを第１の取水口１５Ａに装着し、冷水ドリップ式抽出の場合には、給水口２２Ｂ〜２２Ｆのいずれかを第２の取水口１５Ｂに装着するようにしてもよい。この場合、給水口２２Ｂの口径＞給水口２２Ｃの口径＞給水口２２Ｄの口径＞給水口２２Ｅの口径＞給水口２２Ｆの口径とされており、給水口２２Ｂを第２の取水口１５Ｂに装着した場合冷水ドリップ３時間抽出コースとされ、給水口２２Ｃを第２の取水口１５Ｂに装着した場合冷水ドリップ４時間抽出コースとされ、給水口２２Ｄを第２の取水口１５Ｂに装着した場合冷水ドリップ５時間抽出コースとされ、給水口２２Ｅを第２の取水口１５Ｂに装着した場合冷水ドリップ６時間コースとされ、給水口２２Ｆを第２の取水口１５Ｂに装着した場合冷水ドリップ８時間抽出コースとされている。このようにすると、第２の注出流路１７Ｂに流量制御機構を介設する必要がなくなる。
【００３６】
第２の実施の形態
図８および図９には、本願発明の第２の実施の形態にかかるコーヒーメーカーが示されている。
【００３７】
この場合、機器本体１を構成する支柱部６の側方下部（即ち、載置台５の反対側）に、第１の給水部７Ａを設けるとともに、前記支柱部６の上部に、前記載置台５の上方に向かって庇状に突出して形成される第２の給水部７Ｂを設け、前記第１および第２の給水部７Ａ，７Ｂに対して水タンク２が択一的且つ着脱自在に装着されることとなっている。そして、前記第１および第２の給水部７Ａ，７Ｂには、前記水タンク２の給水口２２が装着される第１および第２の取水口１５Ａ，１５Ｂがそれぞれ設けられており、前記機器本体１内には、前記第１および第２の取水口１５Ａ，１５Ｂから前記抽出器４へ水Ｗを供給するための吐出口１６に至る第１および第２の注出流路１７Ａ，１７Ｂがそれぞれ設けられている。また、本実施の形態の場合、第１および第２の給水部７Ａ，７Ｂにおける載置部１４Ａ，１４Ｂの上面外周には、水タンク２の移動を防止するための起立壁１４Ａ，１４Ｂがそれぞれ一体に形成されている。また、この場合、水タンク２の給水口２２は、該水タンク２の一部を上向きに凹陥させて形成された凹部３０に形成されている。従って、第１の実施の形態において形成されている環状壁および位置決め用壁部は省略されている。その他の構成は、第１の実施の形態におけると同様なので説明を省略する。
【００３８】
上記のように構成したことにより、支柱部６の側方下部に位置する第１の給水部７Ａに水タンク２を装着してその給水口２２を第１の取水口１５Ａに装着すれば、水タンク２の水Ｗを第１の注出流路１７Ａを介して吐出口１６へ導くことができる。このようにして、第１の注出流路１７Ａを介して吐出口１６に導かれる水Ｗは、加熱機構を構成する伝熱部１８において電気ヒータ９により加熱沸騰されて熱湯となって抽出器４に注がれることとなり、温水ドリップ式の抽出が可能となる。
【００３９】
一方、支柱部６の上部において載置台５の上方に向かって庇状に突出して形成される第２の給水部７Ｂに水タンク２を装着してその給水口２２を第２の取水口１５Ｂに装着すれば、水タンク２の水Ｗを第２の注出流路１７Ｂを介して吐出口１６へ導くことができることとなる。このようにして、第２の注出流路１７Ｂを介して吐出口１６に導かれる水Ｗは、加熱されることなく流量制御機構１９により水出し抽出に適した流量に制御されて抽出器４へ注がれることとなり、冷水ドリップ式の抽出が可能となる。
【００４０】
つまり、第１の給水部７Ａあるいは第２の給水部７Ｂへの水タンク２の選択装着によって、温水ドリップ式としても冷水ドリップ式としても使用することができるのである。
【００４１】
その他の作用効果は、第１の実施の形態におけると同様なので説明を省略する。
【００４２】
なお、本実施の形態においても、図７に示すように、水タンク２に温水ドリップ用の給水口２２Ａと複数の冷水ドリップ用給水口２２Ｂ〜２２Ｆを形成するようにしてもよい。
【００４３】
上記説明においては、二つの取水口および二つの注出流路を有するコーヒーメーカーを実施の形態としているが、取水口および注出流路は二つ以上とする場合もある。
【００４４】
【発明の効果】
本願発明の第１の手段によれば、抽出器が着脱自在に装着されるサーバーを載置する載置台と該載置台の一端から上方に延設される支柱部と該支柱部の上部において前記載置台の上方に向かって庇状に突出して形成される給水部とを有する機器本体と、該給水部上に着脱自在に装着される水タンクとを備えたコーヒーメーカーにおいて、前記給水部に、前記水タンクの給水口が択一的に装着される複数の取水口と前記抽出器へ水を供給するための一つの吐出口とを平面視で重ならない位置に形成するとともに、前記機器本体に、前記複数の取水口から前記吐出口に至る複数の注出流路を設けて、水タンクの給水口を複数の取水口のうちのいずれかに択一的に装着することにより、水タンクの水を複数の注出流路のうちのいずれかを介して吐出口へ導くことができるようにしたので、注出流路のうちのいずれかに加熱機構を設ければ、該注出流路を選択した時には、吐出口より熱湯が抽出器へ注がれることとなって、温水ドリップ式のコーヒーを抽出できるし、注出流路のうちのいずれかに加熱機構を設けなければ、該注出流路を選択した時には、吐出口より水が抽出器へ注がれることとなって、冷水ドリップ式のコーヒーを抽出できることとなり、取水口への給水口の択一的装着によって、温水ドリップ式としても冷水ドリップ式としても使用することができて、便利であるという効果がある。また、取水口と吐出口とを、平面視で重ならない位置に形成するようにしているため、上下方向寸法をできるだけ低く抑えることが可能となるという効果もある。
【００４５】
本願発明の第２の手段におけるように、上記第１の手段を備えたコーヒーメーカーにおいて、前記水タンクの装着姿勢を水平姿勢を保持しながら変更することにより、前記給水口を前記複数の取水口のいずれかに択一的に装着できるようにすることもでき、そのように構成した場合、水タンクの装着姿勢を水平姿勢を保持しながら変更するだけで、給水口を複数の取水口のいずれかを選択して装着することができることとなり、操作性が向上する。
【００４６】
本願発明の第３の手段におけるように、上記第１または第２の手段を備えたコーヒーメーカーにおいて、前記複数の取水口には、前記水タンクの装着時に前記給水口に設けられた弁機構を開弁作動させる弁開閉機構をそれぞれ設けることもでき、そのように構成した場合、水タンクの給水口をいずれの取水口に装着したときにも、給水口の弁機構を弁開閉機構により開弁作動させることができることとなり、水タンクの装着と弁機構の開弁作動とを同時に行うことができる。
【００４７】
本願発明の第４の手段におけるように、上記第１、第２又は第３の手段を備えたコーヒーメーカーにおいて、前記複数の注出流路のうち少なくとも一つには、該注出流路中を流れる水を加熱沸騰させる加熱機構を設ける一方、他の一つの注出流路には、流量を制御する流量制御機構を設けることもでき、そのように構成した場合、注出流路のうちの少なくとも一つを流れる水は、加熱機構により加熱沸騰された状態で吐出口に導かれ、他の一つ注出流路を流れる水は、加熱されることなく吐出口に導かれることとなり、これらの注出流路を選択することにより、温水ドリップ式あるいは冷水ドリップ式の抽出が可能となる。
【００４８】
本願発明の第５の手段によれば、抽出器が着脱自在に装着されるサーバーを載置する載置台と該載置台の一端から上方に延設される支柱部と該支柱部の側方下部に位置する第１の給水部と前記支柱部の上部において前記載置台の上方に向かって庇状に突出して形成される第２の給水部とを有する機器本体と、前記第１および第２の給水部に対して択一的且つ着脱自在に装着される水タンクとを備えたコーヒーメーカーにおいて、前記第１および第２の給水部には、前記水タンクの給水口が装着される第１および第２の取水口をそれぞれ設けるとともに、前記第１および第２の取水口から前記抽出器へ水を供給するための吐出口に至る第１および第２の注出流路をそれぞれ付設し且つ前記第１の注出流路には、該注出流路中を流れる水を加熱沸騰させる加熱機構を設ける一方、前記第２の注出流路には、流量を制御する流量制御機構を設けて、支柱部の側方下部に位置する第１の給水部に水タンクを装着してその給水口を第１の取水口に装着すれば、水タンクの水を第１の注出流路を介して吐出口へ導くことができるし、支柱部の上部において載置台の上方に向かって庇状に突出して形成される第２の給水部に水タンクを装着してその給水口を第２の取水口に装着すれば、水タンクの水を第２の注出流路を介して吐出口へ導くことができるようにしたので、第１の注出流路を介して吐出口に導かれる水は、加熱機構により加熱沸騰されて熱湯となって抽出器に注がれることとなって、温水ドリップ式の抽出が可能となるし、第２の注出流路を介して吐出口に導かれる水は、加熱されることなく流量制御機構により流量制御されて抽出器へ注がれることとなって、冷水ドリップ式の抽出が可能となり、第１の給水部あるいは第２の給水部への水タンクの選択装着によって、温水ドリップ式としても冷水ドリップ式としても使用することができ、便利であるという効果がある。
【図面の簡単な説明】
【図１】本願発明の第１の実施の形態にかかるコーヒーメーカーの温水ドリップ式抽出時の正面図である。
【図２】本願発明の第１の実施の形態にかかるコーヒーメーカーの冷水ドリップ式抽出時の正面図である。
【図３】本願発明の第１の実施の形態にかかるコーヒーメーカーの温水ドリップ式抽出時における水タンクの蓋を取り外した状態の平面図である。
【図４】本願発明の第１の実施の形態にかかるコーヒーメーカーの冷水ドリップ式抽出時における水タンクの蓋を取り外した状態の平面図である。
【図５】図３のＶ−Ｖ断面図である。
【図６】図４のＶＩ−ＶＩ断面図である。
【図７】本願発明の第１の実施の形態にかかるコーヒーメーカーにおける水タンクの変形例を示す平面図である。
【図８】本願発明の第２の実施の形態にかかるコーヒーメーカーの温水ドリップ式抽出時の縦断面図である。
【図９】本願発明の第２の実施の形態にかかるコーヒーメーカーの冷水ドリップ式抽出時の縦断面図である。
【符号の説明】
１は機器本体、２は水タンク、３はサーバー、４は抽出器、５は載置台、６は支柱部、７は給水部、７Ａは第１の給水部、７Ｂは第２の給水部、９は加熱機構（電気ヒータ）、１５は取水口、１５Ａは第１の取水口、１５Ｂは第２の取水口、１６は吐出口、１７は注出流路、１７Ａは第１の注出流路、１７Ｂは第２の注出流路、１８は加熱機構（伝熱部）、１９は流量制御機構、２２は給水口、２４は弁機構、２５は弁開閉機構（突起）、Ｃはコーヒー粉、Ｗは水。
【図１】
0003698146.tif 000002
【図２】
0003698146.tif 000003
【図３】
0003698146.tif 000004
【図４】
0003698146.tif 000005
【図５】
0003698146.tif 000006
【図６】
0003698146.tif 000007
【図７】
0003698146.tif 000008
【図８】
0003698146.tif 000009
【図９】
0003698146.tif 000010